(57)【要約】【課題】電子製品の外観に独特のデザインを与え、カスタマイズ化を促進できるＵＳＢインタフェースの保護カバーを提供すること。【解決手段】中空で、内部にＵＳＢプラグを収納する収納部を形成するとともに、外部表面に図案デザインを設けた本体を有する。【選択図】図３
0003140113.tif 000002
【実用新案登録請求の範囲】
【請求項１】
データ伝送インタフェースの保護カバーで、且つＵＳＢプラグのデータ伝送インタフェースに着脱自在に冠着する保護カバーにおいて、
中空で、内部にＵＳＢプラグを収納する収納部を形成するとともに、外部表面に図案デザインを設けた本体を含むことを特徴とする、
ＵＳＢ接続インタフェースの保護カバー。
【請求項２】
前記図案デザインが動物か、植物か、キャラクタか、文字か、数字か、もしくはその他任意の図案であること特徴とする、請求項１に記載のＵＳＢ接続インタフェースの保護カバー。
【請求項３】
前記収納部の形状がＵＳＢプラグの形状に適合した形状であることを特徴とする、請求項１に記載のＵＳＢ接続インタフェースの保護カバー。
【請求項４】
前記収納部に、ＵＳＢプラグの形状に適合した形状のスリーブを設けることを特徴とする、請求項１に記載のＵＳＢ接続インタフェースの保護カバー。
【考案の詳細な説明】
【技術分野】
【０００１】
本考案はデータ伝送インタフェースを保護する保護カバーに関する。
【背景技術】
【０００２】
従来のシリアル／パラレルポートは、それぞれの規格が異なり、ポートの数が不足している。
さらにはコンピュータの背面において接続したケーブルが容易に混線するという問題があった。そこで、Ｃｏｍｐａｑ、Ｉｎｔｅｌ、Ｍｉｃｒｏｓｏｆｔ（登録商標）等のメーカーではＵＳＢ接続インタフェースを開発した。
【０００３】
ＵＳＢ接続インタフェースはプラグインプレーの機能を有する。
即ち、ホットスワッピングの特性を有し、コンピュータを起動した状態で接続することができ、且つ接続した後、コンピュータはこれらＵＳＢ接続インタフェースを有する周辺デバイス、もしくは電子装置を自動的に認識することができる。
これにより、ユーザーは改めて設定する必要がなくなり、コンピュータの背面において接続したケーブルが混線するという問題を改善することができる。
このようなことから、ＵＳＢ接続インタフェースは、既にかなりの普及が見られ、各種コンピュータ周辺デバイス、若しくは電子製品の接続インタフェースとして広く利用されている。
【０００４】
ＵＳＢ接続インタフェースを利用した電子製品のなかで、特にＭＰ３、ＭＰ４等のプレーヤー、録音ペン、モバイルタイプの光ディスクドライブ等は目下流行しているモバイルタイプの電子製品である。
これら電子製品はＵＳＢプラグをデータ伝送用シリアルインタフェース、及び電源接続用プラグとしている。また、ＵＳＢプラグを保護するため、保護カバーを電子製品に連結している。
【０００５】
従来の保護カバーは、どのメーカーの製品のものであろうと、いずれも意匠が異なるが、その外観構造は一様に単純、単調であって面白みがない。
しかもあるメーカーのモバイルタイプの光ディスクドライバーの保護カバーを他のメーカーのモバイルタイプの光ディスクドライバーのＵＳＢプラグに冠着した場合、その全体的な外観が不釣合いになる。
【考案の開示】
【考案が解決しようとする課題】
【０００６】
上述する従来の保護カバーにおける欠点を改善する新規な保護カバーの開発が望まれている。
そこで、本考案はＵＳＢプラグに冠着する保護カバーであって、電子製品の外観に独特のデザインを与え、カスタマイズ化を促進できるＵＳＢインタフェースの保護カバーを提供することを課題とする。
【課題を解決するための手段】
【０００７】
本考案は従来技術の欠点に鑑みて成されたもので、中空で、内部にＵＳＢプラグを収納する収納部を形成するとともに、外部表面に図案デザインを設けた本体を有し、ＵＳＢプラグのデータ伝送インタフェースに着脱自在に冠着する保護カバーを提供するものである。
【０００８】
以下、本考案について具体的に説明する。
本願の第１考案に係るＵＳＢ接続インタフェースの保護カバーは、データ伝送インタフェースの保護カバーで、且つＵＳＢプラグのデータ伝送インタフェースに着脱自在に冠着する保護カバーであって、中空で、内部にＵＳＢプラグを収納する収納部を形成するとともに、外部表面に図案デザインを設けた本体を含む。
【０００９】
本願の第２考案に係るＵＳＢ接続インタフェースの保護カバーは、前記第１考案において、図案デザインが動物か、植物か、キャラクタか、文字か、数字か、もしくはその他任意の図案である。
【００１０】
本願の第３考案に係るＵＳＢ接続インタフェースの保護カバーは、前記第１考案において、収納部の形状がＵＳＢプラグの形状に適合した形状である。
【００１１】
本願の第４考案に係るＵＳＢ接続インタフェースの保護カバーは、前記第１考案において、収納部に、ＵＳＢプラグの形状に適合した形状のスリーブを設ける。
【考案の効果】
【００１２】
本考案によるＵＳＢ接続インタフェースの保護カバーは、電子製品の外観に独特のデザインを与え、カスタマイズ化を促進できるため、販売促進に寄与できるという利点を有する。
【考案を実施するための最良の形態】
【００１３】
本考案は、特殊で好ましい外観を有するＵＳＢ接続インタフェースの保護カバーを提供するものであって、中空で、内部にＵＳＢプラグを収納する収納部を形成するとともに、外部表面に図案デザインを設けた本体を有して構成される。
かかるＵＳＢ接続インタフェースの保護カバーの構造と特徴を詳述するために、具体的な実施例を挙げ、図面を参照にして以下に説明する。
【００１４】
図１、２に、本考案に係るＵＳＢインタフェースの保護カバーの外観構造と内部構造をそれぞれ示す。
図面によれば、データ伝送インタフェースを保護する保護カバー１０は、本体１２を有し、その外部表面には図案デザイン１４を具える。
図案デザイン１４は動物、植物、キャラクタ、文字、数字、もしくはその他任意の図案を用いることができる。図案デザイン１４は平面であってもよく、また立体的な意匠であってもよい。
【００１５】
本体１２は中空であって、内部に収納部１５を形成してＵＳＢプラグの形状に適合するスリーブ１６を内設する。
【００１６】
図３、４に本考案に係るＵＳＢインタフェースの保護カバーの使用態様を示す。
図面によれば、本考案による保護カバー１０はモバイルタイプのディスクドライバー本体１８にＵＳＢプラグ２０に着脱自在に冠着し、図４に示すように、ＵＳＢプラグ２０をスリーブ１６内に収納する。
【００１７】
したがって、本考案は特殊なデザインによって外観上の好ましい視覚効果を保護カバー１０に与えることができ、これを以ってモバイルタイプの電子製品の外観の好ましい視覚効果を高めることができ、使用者の個人的な独特の趣と風格を強めることができる。
【００１８】
また、本考案による保護カバー１０は、他の実施の形態によればスリーブ１６を設けることなく、収納部１５にＵＳＢプラグ２０の形状に適合する形状を直接形成し、ＵＳＢプラグ２０を収納部１５に直接挿入するようにしてもよい。
【００１９】
以上から明らかなように、本考案によれば、独特のデザインによる視覚効果を保護カバーに与えることができ、従来に見られるように単調、単純な保護カバーの設計による制限をユーザーが受けるという問題を改善することができる。
よって、保護カバーとＵＳＢプラグを如何なる電子製品本体と連結しようと、いずれも全体的なデザインに少なからぬ創意と面白みを与えることができる。
【００２０】
以上の記載は本考案の好ましい実施の形態であって、本考案の実施の範囲を限定するものではない。当業者が適宜なし得る修正、若しくは変更であって、本考案の精神の下においてなされ本考案と均等の効果を有するものも本考案に含まれるものである。
【図面の簡単な説明】
【００２１】
【図１】本考案による保護カバーの外観を示した斜視図である。
【図２】図１に開示する保護カバーの内部構造を示した説明図である。
【図３】本考案による保護カバーの使用態様を示した説明図である。
【図４】本考案による保護カバーの使用態様を示した他の説明図である。
【符号の説明】
【００２２】
１０    保護カバー
１２    本体
１４    図案デザイン
１５    収納部
１６    スリーブ
１８    モバイルタイプのディスクドライバー本体
２０    ＵＳＢプラグ
【図１】
0003140113.tif 000003
【図２】
0003140113.tif 000004
【図３】
0003140113.tif 000005
【図４】
0003140113.tif 000006